(57)【特許請求の範囲】
【請求項１】
体厚と被ばく線量の閾値とを関連付けて記憶した閾値記憶部と、
体軸方向に沿って不均一な体厚を有する被検体の天板上の位置と前記被検体の体厚との関係を取得する体厚情報取得部と、
前記体厚情報取得部により取得された前記被検体の体厚の情報にもとづいて前記閾値記憶部を検索することにより、前記被検体の体軸方向の体厚の変化に応じて前記天板上の位置と前記閾値との関係を決定する位置別閾値決定部と、
前記天板上の位置と前記閾値との関係を示す画像を生成して表示部に表示させる画像生成部と、
を備えたことを特徴とするＸ線ＣＴ装置。
【請求項２】
前記被検体のスキャノ像を生成するスキャノ像生成部、
をさらに備え、
前記体厚情報取得部は、
前記被検体のスキャノ像にもとづいて前記被検体の体軸方向の体厚の変化に応じて前記天板上の位置と前記被検体の体厚との関係を取得し、
前記画像生成部は、
前記天板上の位置と前記閾値との関係を示す画像を前記スキャノ像に重畳させて前記表示部に表示させる、
請求項１記載のＸ線ＣＴ装置。
【請求項３】
少なくとも前記天板上の位置とＸ線照射時間との関係を規定したスキャン計画の情報を取得する計画取得部と、
前記スキャン計画にもとづくスキャンが実行される前に、このスキャンが実行された場合における前記天板上の位置と線量との関係を推定するスキャン線量推定部と、
をさらに備え、
前記画像生成部は、
前記スキャン線量推定部によって推定された前記天板上の位置と前記線量との関係を示す画像を生成し、この画像および前記天板上の位置と前記閾値との関係を示す画像を前記スキャノ像に重畳させて、前記スキャン計画にもとづくスキャンの実行前に前記表示部に表示させる、
請求項２記載のＸ線ＣＴ装置。
【請求項４】
スキャンが実行されると、この実行されたスキャンにおける前記天板上の位置と線量との関係を記憶する線量履歴記憶部と、
前記線量履歴記憶部に記憶された前記スキャンごとの前記天板上の位置と線量との関係から、前記天板上の位置と過去の積算線量との関係を取得する積算線量取得部と、
をさらに備え、
前記画像生成部は、
前記天板上の位置と過去の積算線量との関係を示す画像を生成し、この画像および前記天板上の位置と前記閾値との関係を示す画像を前記スキャノ像に重畳させて前記表示部に表示させる、
請求項２または３に記載のＸ線ＣＴ装置。
【請求項５】
前記計画取得部は、
前記スキャン計画にもとづくスキャンの実行後、他のスキャン計画の情報を取得し、
前記スキャン線量推定部は、
前記他のスキャン計画にもとづくスキャンが実行される前に、このスキャンが実行された場合における前記天板上の位置と線量との関係を推定するとともに、この推定した線量と前記積算線量とを加算した積算線量を求めることにより前記他のスキャン計画にもとづくスキャンが実行された場合における前記天板上の位置と前記加算した積算線量との関係を推定し、
前記画像生成部は、
前記スキャン線量推定部によって推定された前記天板上の位置と過去の積算線量との関係を示す画像および前記他のスキャン計画にもとづく実行された場合における前記天板上の位置と前記加算した積算線量との関係を示す画像を生成し、これらの画像および前記天板上の位置と前記閾値との関係を示す画像を前記スキャノ像に重畳させて、前記他のスキャン計画にもとづくスキャンの実行前に前記表示部に表示させる、
請求項４記載のＸ線ＣＴ装置。
【請求項６】
前記スキャン計画の変更を受け付ける計画変更受付部、
をさらに備え、
前記スキャン線量推定部は、
前記スキャン計画の変更が受け付けられると、変更されたスキャン計画にもとづくスキャンが実行される前に、このスキャンが実行された場合における前記天板上の位置と線量との関係を推定する、
請求項３ないし５のいずれか１項に記載のＸ線ＣＴ装置。
【請求項７】
体厚と被ばく線量の閾値とを関連付けて閾値記憶部に記憶させるステップと、
体軸方向に沿って不均一な体厚を有する被検体の天板上の位置と前記被検体の体厚との関係を取得するステップと、
前記被検体の体厚の情報にもとづいて前記閾値記憶部を検索することにより、前記被検体の体軸方向の体厚の変化に応じて前記天板上の位置と前記閾値との関係を決定するステップと、
前記天板上の位置と前記閾値との関係を示す画像を生成して表示部に表示させるステップと、
を有することを特徴とするＸ線ＣＴ装置の制御方法。
【請求項８】
前記被検体のスキャノ像を生成するステップ、
をさらに備え、
前記被検体の天板上の位置と前記被検体の体厚との関係を取得するステップは、
前記被検体のスキャノ像にもとづいて前記被検体の体軸方向の体厚の変化に応じて前記天板上の位置と前記被検体の体厚との関係を取得するステップであり、
前記天板上の位置と前記閾値との関係を示す画像を生成して表示部に表示させるステップは、
前記天板上の位置と前記閾値との関係を示す画像を前記スキャノ像に重畳させて前記表示部に表示させるステップである、
請求項７記載のＸ線ＣＴ装置の制御方法。
【発明の詳細な説明】
【技術分野】
【０００１】
本発明の実施形態は、Ｘ線ＣＴ（Computed Tomography）装置およびＸ線ＣＴ装置の制御方法に関する。
【背景技術】
【０００２】
Ｘ線ＣＴ装置の操作者は、被検体に対して過剰にＸ線を照射することがないよう、被検体の被ばく線量を管理することが望ましい。そこで従来、被検体の被ばく線量を管理するための技術として、たとえばスキャン条件にもとづいてトータルのＤＬＰ（Dose Length Product）や最大もしくは平均のＣＴＤＩｖｏｌ（volume CT Dose Index）などを表示して操作者に提示する技術が提案されている。
【先行技術文献】
【特許文献】
【０００３】
【特許文献１】特開２００４−８９４３０号公報
【発明の概要】
【発明が解決しようとする課題】
【０００４】
ところで、被検体のＸ線被ばく量の閾値は、被検体の年齢、撮影部位、体型などに応じて異なる。しかし、従来の技術では、スキャン全体の合計値を用いて被ばく線量を管理するようになっている。このため、従来の技術では、被検体のスキャン位置に応じた被ばく線量管理を行うことが難しい。
【課題を解決するための手段】
【０００５】
本発明の一実施形態に係るＸ線ＣＴ装置は、上述した課題を解決するために、閾値記憶部と、体厚情報取得部と、位置別閾値決定部と、画像生成部と、を備えたものである。閾値記憶部は、体厚と被ばく線量の閾値とを関連付けて記憶する。体厚情報取得部は、体軸方向に沿って不均一な体厚を有する被検体の天板上の位置と被検体の体厚との関係を取得する。位置別閾値決定部は、体厚情報取得部により取得された被検体の体厚の情報にもとづいて閾値記憶部を検索することにより、被検体の体厚に応じて天板上の位置と閾値との関係を決定する。画像生成部は、天板上の位置と閾値との関係を示す画像を生成して表示部に表示させる。
【図面の簡単な説明】
【０００６】
【図１】本発明の一実施形態に係るＸ線ＣＴ装置の一例を示す概略的な全体構成図。
【図２】閾値記憶部に記憶される体厚と被ばく線量の閾値との関係の一例を示す説明図。
【図３】主制御部のＣＰＵによる機能実現部の構成例を示す概略的なブロック図。
【図４】被ばく線量の閾値を患者の位置に応じてスキャノ像に重畳表示した画像の一例を示す説明図。
【図５】主制御部のＣＰＵにより被ばく線量の閾値を患者の位置に応じてユーザに提示する際の手順を示すフローチャート
【発明を実施するための形態】
【０００７】
本発明に係るＸ線ＣＴ装置およびＸ線ＣＴ装置の制御方法の実施の形態について、添付図面を参照して説明する。
【０００８】
図１は、本発明の一実施形態に係るＸ線ＣＴ装置１０の一例を示す概略的な全体構成図である。
【０００９】
Ｘ線ＣＴ装置１０は、スキャナ装置１１および画像処理装置１２を有する。Ｘ線ＣＴ装置１０のスキャナ装置１１は、通常は検査室に設置され、患者Ｏの部位（被検体）に関するＸ線の透過データを生成するために構成される。画像処理装置１２は、通常は検査室に隣接する制御室に設置され、透過データから投影データを生成して再構成画像の生成・表示を行なうために構成される。
【００１０】
Ｘ線ＣＴ装置１０のスキャナ装置１１は、Ｘ線管２１、絞り２２、Ｘ線検出器２３、ＤＡＳ（Data Acquisition System）２４、回転部２５、高圧電源２６、絞り駆動装置２７、回転駆動装置２８、天板２９、天板駆動装置３０、およびコントローラ３１を有する。
【００１１】
Ｘ線管２１は、高圧電源２６により電圧（以下、管電圧という）を印加されてＸ線を発生する。Ｘ線管２１が発生するＸ線は、ファンビームＸ線やコーンビームＸ線として患者Ｏに向かって照射される。
【００１２】
絞り２２は、絞り駆動装置２７を介してコントローラ３１により制御されて、Ｘ線管２１から照射されるＸ線のスライス方向の照射範囲を調整する。
【００１３】
Ｘ線検出器２３は、１または複数のＸ線検出素子（電荷蓄積素子）により構成される。このＸ線検出素子は、Ｘ線管２１から照射されたＸ線を検知する。Ｘ線管２１およびＸ線検出器２３は、天板２９に載置された患者Ｏを挟んで対向する位置となるよう回転部２５に支持される。
【００１４】
このＸ線検出器２３としては、たとえばチャンネル（ＣＨ）方向に複数チャンネル、スライス方向に１列のＸ線検出素子を有するいわゆる１次元アレイ型（シングルスライス型）のものを用いることができる。また、チャンネル（ＣＨ）方向に複数チャンネル、スライス方向に複数列のＸ線検出素子を有するいわゆる２次元アレイ型（マルチスライス型）のものを用いてもよい。
【００１５】
ＤＡＳ２４は、Ｘ線検出器２３を構成するＸ線検出素子が検知した透過データの信号を増幅してデジタル信号に変換して出力する。ＤＡＳ２４の出力データは、スキャナ装置１１のコントローラ３１を介して画像処理装置１２に与えられる。
【００１６】
回転部２５は、Ｘ線管２１、絞り２２、Ｘ線検出器２３、およびＤＡＳ２４を一体として保持される。回転部２５が回転駆動装置２８を介してコントローラ３１に制御されて回転することにより、Ｘ線管２１、絞り２２、Ｘ線検出器２３、およびＤＡＳ２４は一体として患者Ｏの周りを回転する。
【００１７】
高圧電源２６は、コントローラ３１に制御されて、Ｘ線の照射に必要な電力をＸ線管２１に供給する。
【００１８】
絞り駆動装置２７は、コントローラ３１に制御されて、絞り２２の開口を調整することによりＸ線のスライス方向の照射範囲を調整する。
【００１９】
回転駆動装置２８は、コントローラ３１に制御されて、回転部２５を空洞部の周りに回転させる。
天板２９は、患者Ｏを載置可能に構成される。
【００２０】
天板駆動装置３０は、コントローラ３１に制御されて、天板２９を昇降動させる。また、天板駆動装置３０は、コントローラ３１に制御されて、回転部２５の中央部分の開口部のＸ線照射場へ天板２９を移送する。
【００２１】
コントローラ３１は、ＣＰＵ、ＲＡＭおよびＲＯＭをはじめとする記憶媒体などにより構成され、この記憶媒体に記憶されたプログラムに従って、Ｘ線検出器２３、ＤＡＳ２４、高圧電源２６、絞り駆動装置２７、回転駆動装置２８および天板駆動装置３０を制御することによりスキャンを実行させる。コントローラ３１のＲＡＭは、ＣＰＵが実行するプログラムおよびデータを一時的に格納するワークエリアを提供する。コントローラ３１のＲＯＭをはじめとする記憶媒体は、スキャン装置１１の起動プログラム、スキャナ装置１１の制御プログラムや、これらのプログラムを実行するために必要な各種データを記憶する。
【００２２】
なお、コントローラ３１のＲＯＭをはじめとする記憶媒体は、磁気的もしくは光学的記録媒体または半導体メモリなどの、ＣＰＵにより読み取り可能な記録媒体を含んだ構成を有し、これら記憶媒体内のプログラムおよびデータの一部または全部は電子ネットワークを介してダウンロードされるように構成してもよい。
【００２３】
一方、Ｘ線ＣＴ装置１０の画像処理装置１２は、たとえばパーソナルコンピュータにより構成され、病院基幹のＬＡＮ（Local Area Network）等のネットワークとデータ送受信することができる。
【００２４】
画像処理装置１２は、図１に示すように、データ収集部４１、入力部４２、表示部４３、ネットワーク接続部４４、記憶部４５および主制御部４６を有する。
【００２５】
データ収集部４１は、スキャナ装置１１が実行したスキャンにより得られた投影データをＤＡＳ２４およびコントローラ３１を介して収集する。データ収集部４１によって収集されたデータは、記憶部４５に記憶される。
【００２６】
入力部４２は、たとえばキーボード、タッチパネル、テンキーなどの一般的な入力装置により構成され、ユーザの操作に対応した操作入力信号を主制御部４６に出力する。
【００２７】
表示部４３は、たとえば液晶ディスプレイやＯＬＥＤ（Organic Light Emitting Diode）ディスプレイなどの一般的な表示出力装置により構成され、主制御部４６の制御に従ってスキャノ像などの各種画像を表示する。
【００２８】
ネットワーク接続部４４は、ネットワークの形態に応じた種々の情報通信用プロトコルを実装する。ネットワーク接続部４４は、この各種プロトコルに従って画像処理装置１２と他の電気機器とを接続する。この接続には、電子ネットワークを介した電気的な接続などを適用することができる。ここで電子ネットワークとは、電気通信技術を利用した情報通信網全般を意味し、病院基幹ＬＡＮなどの無線／有線ＬＡＮやインターネット網のほか、電話通信回線網、光ファイバ通信ネットワーク、ケーブル通信ネットワークおよび衛星通信ネットワークなどを含む。
【００２９】
記憶部４５は、磁気的もしくは光学的記録媒体または半導体メモリなどの、主制御部４６のＣＰＵにより読み取り可能な記録媒体を含んだ構成を有する。記憶部４５は、データ収集部４１によって収集されたデータなどを記憶する。本実施形態では、記憶部４５が少なくとも閾値記憶部４７および線量履歴記憶部４８を有する場合の例について説明する。
【００３０】
図２は、閾値記憶部４７に記憶される体厚と被ばく線量の閾値との関係の一例を示す説明図である。
【００３１】
閾値記憶部４７は、あらかじめ体厚と被ばく線量の閾値とを関連付けて記憶しておく。図２には、閾値記憶部４７が、あらかじめ患者Ｏの体厚および年齢に応じて被ばく線量の閾値Ｔｈを記憶しておく場合の例について示した。
【００３２】
線量履歴記憶部４８は、スキャンが実行されると、この実行されたスキャンにおける天板（寝台）２９上の位置と線量との関係を記憶する。
【００３３】
主制御部４６は、ＣＰＵ、ＲＡＭおよびＲＯＭをはじめとする記憶媒体などにより構成され、この記憶媒体に記憶されたプログラムに従って、スキャナ装置１１のコントローラ３１を制御する。主制御部４６のＲＡＭは、ＣＰＵが実行するプログラムおよびデータを一時的に格納するワークエリアを提供する。主制御部４６のＲＯＭをはじめとする記憶媒体は、画像処理装置１２の起動プログラム、コントローラ３１の制御プログラムや、これらのプログラムを実行するために必要な各種データを記憶する。
【００３４】
なお、主制御部４６のＲＯＭをはじめとする記憶媒体は、磁気的もしくは光学的記録媒体または半導体メモリなどの、ＣＰＵにより読み取り可能な記録媒体を含んだ構成を有し、これら記憶媒体内のプログラムおよびデータの一部または全部は電子ネットワークを介してダウンロードされるように構成してもよい。
【００３５】
図３は、主制御部４６のＣＰＵによる機能実現部の構成例を示す概略的なブロック図である。なお、この機能実現部は、ＣＰＵを用いることなく回路などのハードウエアロジックによって構成してもよい。
【００３６】
図３に示すように、主制御部４６のＣＰＵは、ＲＯＭをはじめとする記憶媒体に記憶されたプログラムによって、少なくともスキャノ像生成部５１、体厚情報取得部５２、位置別閾値決定部５３、計画取得部５４、計画変更受付部５５、スキャン制御部５６、終了判定部５７、スキャン線量推定部５８、積算線量取得部５９および画像生成部６０として機能する。この各部５１〜６０は、ＲＡＭの所要のワークエリアを、データの一時的な格納場所として利用する。
【００３７】
スキャノ像生成部５１は、コントローラ３１を制御し、Ｘ線管２１とＸ線検出器２３の位置を固定したまま、患者Ｏの体軸方向に天板２９を移動させ、この移動に同期して曝射されたＸ線の透過データにもとづいてスキャノ像を生成する。
【００３８】
体厚情報取得部５２は、スキャノ像データにもとづいて患者Ｏの天板２９上の位置と患者Ｏの体厚との関係を取得する。
【００３９】
位置別閾値決定部５３は、体厚情報取得部５２により取得された患者Ｏの体厚の情報にもとづいて閾値記憶部４７を検索することにより、体厚に関連付けられた被ばく線量閾値Ｔｈの情報を取得する（図２参照）。そして、位置別閾値決定部５３は、患者Ｏの体厚に応じて天板２９上の位置と閾値Ｔｈとの関係を決定する。
【００４０】
図４は、被ばく線量の閾値を患者Ｏの位置に応じてスキャノ像に重畳表示した画像の一例を示す説明図である。
【００４１】
図４に示すように、画像生成部６０は、天板２９上の位置と閾値Ｔｈとの関係にもとづいて被ばく線量の閾値を患者Ｏの位置に応じて表示部４３に表示されたスキャノ像に重畳表示することができる。
【００４２】
計画取得部５４は、少なくとも天板２９上の位置とＸ線照射時間との関係を規定したスキャン計画の情報を取得する。スキャン計画の内容は、ユーザにより入力部４２を介して適宜修正されうる。
【００４３】
計画変更受付部５５は、ユーザから入力部４２を介してスキャン計画の変更指示を受け付ける。
【００４４】
スキャン制御部５６は、ユーザから入力部４２を介してスキャン計画の実行指示を受けて、スキャン計画にもとづいてコントローラ３１を介してスキャン装置１１を制御することにより、スキャンを実行する。
【００４５】
終了判定部５７は、ユーザから入力部４２を介して検査終了指示があったか否かを判定する。
【００４６】
スキャン線量推定部５８は、スキャン計画にもとづくスキャンが実行される前に、このスキャンが実行された場合における天板２９上の位置と線量との関係を推定し、この関係を画像生成部６０に与える。
【００４７】
積算線量取得部５９は、線量履歴記憶部４８に記憶されたスキャンごとの天板２９上の位置と線量との関係から、天板２９上の位置と過去の積算線量との関係を取得し、この関係を画像生成部６０に与える。
【００４８】
画像生成部６０は、天板２９上の位置と過去の積算線量との関係にもとづいて、スキャン済みの被ばく線量の積算値を患者Ｏの位置に応じてスキャノ像に重畳表示することができる（図４の「スキャン済み」参照）。また、画像生成部６０は、スキャン済みの被ばく線量の積算値とスキャン線量推定部５８により推定されたスキャンが実行された場合における線量値とを天板２９の位置ごとに加算することにより、これから実行されようとしているスキャンを実際に実行した場合における推定積算線量値を患者Ｏの位置に応じてスキャノ像に重畳表示することができる（図４の「スキャン済み＋計画分」参照）。
【００４９】
次に、本実施形態に係るＸ線ＣＴ装置１０の動作の一例について説明する。
【００５０】
図５は、主制御部４６のＣＰＵにより被ばく線量の閾値を患者Ｏの位置に応じてユーザに提示する際の手順を示すフローチャートである。図５において、Ｓに数字を付した符号は、フローチャートの各ステップを示す。
【００５１】
この手順は、あらかじめ閾値記憶部４７に体厚と被ばく線量の閾値とが関連付けて記憶された時点でスタートとなる。
【００５２】
まず、ステップＳ１において、スキャノ像生成部５１は、スキャノ像を生成する。
【００５３】
次に、ステップＳ２において、体厚情報取得部５２は、スキャノ像データにもとづいて患者Ｏの天板２９上の位置と患者Ｏの体厚との関係を取得する。
【００５４】
次に、ステップＳ３において、位置別閾値決定部５３は、体厚情報取得部５２により取得された患者Ｏの体厚の情報にもとづいて閾値記憶部４７を検索することにより、体厚に関連付けられた被ばく線量閾値Ｔｈの情報を取得する。そして、位置別閾値決定部５３は、患者Ｏの体厚に応じて天板２９上の位置と閾値Ｔｈとの関係を決定する。
【００５５】
患者Ｏがの年齢が図２の「大人」に属する年齢である場合、たとえば天板２９上の体軸方向のある位置ｚにおける患者Ｏの体厚が３００ｍｍであれば、位置別閾値決定部５３は、この患者の天板２９上のある位置ｚにおける被ばく線量閾値ＴｈをＴｈ＿Ｃと決定することになる。
【００５６】
次に、ステップＳ４において、計画取得部５４は、少なくとも天板２９上の位置とＸ線照射時間との関係を規定したスキャン計画の情報を取得する。ステップＳ６から戻ってきた場合は、計画取得部５４は、変更後のスキャン計画の情報を取得する。
【００５７】
次に、ステップＳ５において、画像生成部６０は、位置別閾値決定部５３により決定された天板２９上の位置と被ばく線量閾値Ｔｈとの関係を示す画像（図４の「閾値」参照）をスキャノ像に重畳表示する。また、画像生成部６０は、積算線量取得部５９から天板２９上の位置と積算線量との関係を取得し、この関係を示す画像（図４の「スキャン済み」参照）をスキャノ像に重畳表示する。
【００５８】
また、画像生成部６０は、これから実行されようとしているスキャン計画にもとづくスキャンを実際に実行した場合における推定積算線量値と天板２９上の位置との関係を示す画像（図４の「スキャン済み＋計画分」参照）をスキャノ像に重畳表示する。ユーザは、表示部４３に表示された天板２９上の位置と推定積算線量値および閾値との関係を示す画像を介して、スキャン計画を実行した場合における推定積算線量値を容易に把握することができる。
【００５９】
次に、ステップＳ６において、計画変更受付部５５は、ユーザから入力部４２を介してスキャン計画の変更指示があったか否かを判定する。このとき、画像生成部６０は表示部４３にスキャン計画を変更するか否かをユーザに問う画像を表示するとよい。スキャン計画の変更指示があった場合はステップＳ４に戻る。一方、スキャン計画の変更指示がない場合はステップＳ７に進む。
【００６０】
次に、ステップＳ７において、スキャン制御部５６は、ユーザから入力部４２を介してスキャン計画の実行指示があったか否かを判定する。このとき、画像生成部６０は表示部４３にスキャン計画を実行するか否かをユーザに問う画像を表示するとよい。スキャン計画の実行指示があった場合はステップＳ８に進む。一方、スキャン計画の実行指示がない場合はステップＳ１０に進む。
【００６１】
次に、ステップＳ８において、スキャン制御部５６は、スキャン計画にもとづいてコントローラ３１を介してスキャン装置１１を制御することにより、スキャンを実行する。
【００６２】
次に、ステップＳ９において、スキャン制御部５６は、ステップＳ８にて実行したスキャンにおける天板２９上の位置と線量との関係を線量履歴記憶部４８に記憶させる。
【００６３】
次に、ステップＳ１０において、終了判定部５７は、ユーザから入力部４２を介して検査終了指示があったか否かを判定する。検査終了指示があった場合はステップＳ１１に進む。一方、検査終了指示がない場合は、ステップＳ４に戻り他のスキャン計画の入力を待機する。
【００６４】
次に、ステップＳ１１において、画像生成部６０は、位置別閾値決定部５３により決定された天板２９上の位置と被ばく線量閾値Ｔｈとの関係を示す画像と、天板２９上の位置と積算線量との関係を示す画像と、をスキャノ像に重畳表示し、一連の手順は終了となる。
【００６５】
以上の手順により、被ばく線量の閾値を被検体の位置に応じてユーザに提示することができる。
【００６６】
本実施形態に係るＸ線ＣＴ装置１０は、被ばく線量の閾値を患者Ｏの位置ごとの体厚に応じて取得することができる。このため、Ｘ線ＣＴ装置１０によれば、ユーザは、被ばく線量の閾値、現在までの積算線量および計画実行後に予測される推定積算線量を、患者Ｏの位置ごとに容易に把握することができる。また、この被ばく線量の閾値は、患者Ｏの位置ごとの体厚に応じた値を用いることができる。
【００６７】
したがって、Ｘ線ＣＴ装置１０によれば、ユーザは患者Ｏの位置ごとの体厚に応じた閾値を考慮した計画を容易に立てることができ、患者Ｏに過剰に被ばくさせてしまう弊害を未然に容易に防ぐことができる。
【００６８】
さらに、この被ばく線量の閾値は、図２に示すように年齢を考慮したものとすることもできる。また、本実施形態に係るＸ線ＣＴ装置１０によれば、ユーザは現在までの照射状態（積算線量）の確認を容易に行うことができる。
【００６９】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７０】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【００７１】
１０  Ｘ線ＣＴ装置
２９  天板
４１  データ収集部
４３  表示部
４５  記憶部
４６  主制御部
４７  閾値記憶部
４８  線量履歴記憶部
５１  スキャノ像生成部
５２  体厚情報取得部
５３  位置別閾値決定部
５４  計画取得部
５５  計画変更受付部
５８  スキャン線量推定部
５９  積算線量取得部
６０  画像生成部
【図１】
0005858606.tif 000002
【図２】
0005858606.tif 000003
【図３】
0005858606.tif 000004
【図４】
0005858606.tif 000005
【図５】
0005858606.tif 000006